(57)【特許請求の範囲】
【請求項１】
固定体及びこの固定体に移動可能に支持される可動体のいずれか一方に設けられた被当接部に、可動体の所定の往動位置において当接されると共に、この当接後の可動体の往動によって連れ移動される当接体と、
ダンパー可動部の可動に制動力を付与するダンパー部材と、
当接体の移動に伴って移動してダンパー可動部を可動させる連係体と、
これらを組み込んでユニット化させるケーシングとを備えており、
しかも、被当接部と当接体とを磁力により吸着させるようにしてあると共に、
当接体の当接面の向き又は位置の可変が一定の範囲で許容されていることを特徴とする制動装置。
【請求項２】
ダンパー部材と連係体とが、可動体の移動方向に直交する方向において、並列状に配置されていることを特徴とする請求項１に記載の制動装置。
【請求項３】
ダンパー部材が、ピストン又はシリンダーを可動体の移動方向に沿う向きに可動されるダンパー可動部として、このピストン又はシリンダーを連係体に接続させたピストンダンパーであることを特徴とする請求項１に記載の制動装置。
【請求項４】
可動体の移動方向に沿う向きに連係体の移動をガイドするガイド手段を備えていることを特徴とする請求項１に記載の制動装置。
【請求項５】
固定体及びこの固定体に移動可能に支持される可動体のいずれか一方に設けられた被当接部に、可動体の所定の往動位置において当接されると共に、この当接後の可動体の往動によって連れ移動される当接体と、
ダンパー可動部の可動に制動力を付与するダンパー部材と、
当接体の移動に伴って移動してダンパー可動部を可動させる連係体と、
これらを組み込んでユニット化させるケーシングとを備えており、
しかも、被当接部と当接体とを磁力により吸着させるようにしてある制動装置を、前記当接体が引き出しの押し込み時に引き出しの奥端部を被当接部としてこれに当接されるように、この引き出しのキャビネットに取り付けてなることを特徴とする引き出し装置。
【請求項６】
ダンパー部材と連係体とが、可動体の移動方向に直交する方向において、並列状に配置されていることを特徴とする請求項５に記載の引き出し装置。
【請求項７】
ダンパー部材が、ピストン又はシリンダーを可動体の移動方向に沿う向きに可動されるダンパー可動部として、このピストン又はシリンダーを連係体に接続させたピストンダンパーであることを特徴とする請求項５に記載の引き出し装置。
【請求項８】
可動体の移動方向に沿う向きに連係体の移動をガイドするガイド手段を備えていることを特徴とする請求項５に記載の引き出し装置。
【発明の詳細な説明】
【技術分野】
【０００１】
この発明は、固定体に移動可能に支持される各種の可動体の移動を、その所定の往動位置から先ではゆっくりとなさしめるようにする制動装置及びこれを利用した引き出しの改良に関する。
【背景技術】
【０００２】
引き出しが閉じられ引き出しレールが後方に移動されたときに、この引き出し側に備えられた駆動体ピンを捕捉して弾性体の付勢により後方に移動するキャリッジによって引き出しを完全引き込み状態にすると共に、流体緩衝装置によりこのキャリッジの移動に制動力を作用させるものとして特許文献１に示されるものがある。
【０００３】
しかるに、かかる特許文献１に示されるものにあっては、駆動体ピンがキャリッジに引き出しの所定の押し込み位置で捕捉されるように、その備え付けに当たり両者の位置合せを正確に行なうことを余儀なくさせる。また、このように位置合わせを行っても引き出しの積載量によっては駆動体ピンの位置が下がるなどして所定の押し込み位置で駆動体ピンがキャリッジに適切に捕捉されなくなるおそれのあるものであった。
【特許文献１】特表２００６−５０６１３２号公報
【発明の開示】
【発明が解決しようとする課題】
【０００４】
この発明が解決しようとする主たる問題点は、上記従来のもののように位置合わせを厳密に行わなくても設置可能な可動体の制動装置およびそれを備えた引き出し装置を提供する点にある。
【課題を解決するための手段】
【０００５】
前記課題を達成するために、この発明にあっては、制動装置を、以下の（１）〜（５）の構成を備えたものとした。
（１）固定体及びこの固定体に移動可能に支持される可動体のいずれか一方に設けられた被当接部に、可動体の所定の往動位置において当接されると共に、この当接後の可動体の往動によって連れ移動される当接体と、
（２）ダンパー可動部の可動に制動力を付与するダンパー部材と、
（３）当接体の移動に伴って移動してダンパー可動部を可動させる連係体と、
（４）これらを組み込んでユニット化させるケーシングとを備えており、
（５）しかも、被当接部と当接体とを磁力により吸着させるようにしてある。
【０００６】
かかる構成によれば、被当接部は当接体と磁力により吸着されるようになってさえいれば良く、両者の厳密な位置合わせなどをしなくても、可動体の移動を所定の往動位置から先においてゆっくりとなさしめることができる。また、被当接部と当接体とは磁力により吸着されることから、可動体を復動させることに伴って当接体を連れ移動前の位置に復帰させ、これに伴って連係体とダンパー部材のダンパー可動部も動作前の位置に復帰させ、可動体の次の往動に備えさせることができる。吸着は磁力によるものであることから、所定の往動位置において前記吸着は解かれ、可動体の復動は妨げられない。ケーシングにより当接体とダンパー部材と連係体とはユニット化されており、ケーシングを取り付け可能なスペースさえあれば様々な可動体の制動に利用することが可能とされる。
【０００７】
ダンパー部材と連係体とを、可動体の移動方向に直交する方向において、並列状に配置させておけば、制動装置を取り付けスペースを最小にして設置させることができる。
【０００８】
ダンパー部材を、ピストン又はシリンダーを可動体の移動方向に沿う向きに可動されるダンパー可動部として、このピストン又はシリンダーを連係体に接続させたピストンダンパーとしておけば、可動体の往動によって当接体と連係体とを介してダンパー可動部を可動させてピストンダンパーの制動力を可動体に付与させることができる。
【０００９】
前記可動体の移動方向に沿う向きに連係体の移動をガイドするガイド手段を備えさせておけば、当接体の移動によって連係体を可動体の移動方向に沿う向きに規則的に移動させてダンパー部材のダンパー可動部を可動させることができる。
【００１０】
また、前記当接体の当接面の向き又は位置を、一定の範囲で可変できるようにしておけば、被当接部への当接体の突き当たり時に、この被当接部と当接体の当接面とが所期の向きで向き合わない場合でも、これを修正して両者が適切に吸着されるようにすることができる。
【００１１】
前記制動装置を、その当接体が引き出しの押し込み時に引き出しの奥端部を被当接部としてこれに当接されるように、この引き出しのキャビネットに取り付けて引き出し装置を構成させれば、その引き出しが静かに閉まるようにすることができる。
【発明の効果】
【００１２】
この発明にかかる制動装置によれば、被当接部は当接体と磁力により吸着されるようになってさえいれば良いことから、両者の厳密な位置合わせなどをしなくても、可動体の移動を所定の往動位置から先においてゆっくりとなさしめることができる。
【発明を実施するための最良の形態】
【００１３】
以下、図１〜図１０に基づいて、この発明を実施するための最良の形態について説明する。
【００１４】
なお、ここで図１〜図３は実施の形態にかかる制動装置３を備えてなる引き出し装置の要部をそれぞれ示しており、特に、図１は待機位置にある制動装置３の当接体３０に引き出し２ａの奥端部２ｂが突き当たった直後の状態（または、この奥端部２ｂに吸着された当接体３０が引き出し２ａの復動（引き出し操作）に伴ってこの奥端部２ｂから離れる直前の状態）を、図２は図１の状態から引き出し２ａが押し込みきられたときの状態を、図３はこの制動装置３を前方から見た状態として、それぞれ示している。また、図４〜図１０はかかる制動装置３をそれぞれ示している。
【００１５】
この実施の形態にかかる制動装置３は、固定体１に移動可能に支持される各種の可動体２の移動を、その所定の往動位置から先ではゆっくりとなさしめるようにするものである。
【００１６】
引き出し装置を構成するキャビネット１ａにかかる制動装置３を取り付け、この引き出し装置を構成する引き出し２ａの押し込み時に、後述する当接体３０が引き出し２ａの奥端部２ｂを被当接部２ｃとしてこれに当接されるようにしておけば、この引き出し２ａが静かにしまるようにすることができる。
【００１７】
かかる制動装置３は、当接体３０と、ダンパー部材３１と、連係体３２とを備えている。これらはケーシング３３に組み込まれてユニット化されている。図示の例ではケーシング３３は幅広の両面３３１、３３２を有するように構成され、その一面側を取り付け面３３１として引き出し装置を構成するキャビネット１ａの内側部１ｂに取り付けられるようになっている。図中符号３３３で示すのはその取り付け用のネジの通し孔である。図示の例ではケーシング３３はキャビネット１ａの引き出し収容部の奥側において引き出し２ａの支持レール１ｃの下方に位置されるように取り付けられている。後述する当接体３０はケーシング３３の他面３３２側から内方に突き出すように配され引き出し２ａを押し込みきる直前でこの引き出し２ａの奥端部２ｂがこの当接体３０に前方から突き当たるようになっている。（図１）この突き当たりによって当接体３０は引き出し２ａが押し込みきられるまで一緒に後方（図１における左側）に移動されると共に、この後方への移動にダンパー部材３１による制動力が付与され引き出し２ａは静かにしまる。（図２）制動装置３はキャビネット１ａにおける引き出し２ａを挟んだ左右両側の内側部１ｂにそれぞれ取り付けるようにしてもよい。この場合、キャビネット１ａの左側に取り付けられる制動装置３における各部材の配置に対し、右側に取り付けられる制動装置３における各部材の配置は、対称となるように構成される。
【００１８】
この実施の形態にあっては、当接体３０は、固定体１としてのキャビネット１ａに移動可能に支持される可動体２としての引き出し２ａに設けられた被当接部２ｃ（前記奥端部２ｂ）に、可動体２の所定の往動位置において当接されると共に、この当接後の可動体２の往動によって連れ移動されるものである。図示の例では、かかる当接体３０は、連係体３２の後端部３２１にこの連係体３２と一体をなすように備えられている。ケーシング３３は、その一面（取り付け面３３１）と他面３３２との間に形成される前後に長い空間を中仕切り部３３４によって上下におおむね二つに区分させた構成となっている。連係体３２は前後に長い細長い板状をなすと共に、ケーシング３３の上側の空間３３４ａ内に前後動可能に納められ、その後端部３２１に当接体３０を一体に備えている。ケーシング３３の後端側において他面３３２には前後に長い開放部３３５が形成されており、当接体３０はこの開放部３３５を通じてケーシング３３の他面３３２側からキャビネット１ａの内方に向けて突き出すように配されている。引き出し２ａの引き出し時には当接体３０は開放部３３５の前側に位置する待機位置に位置づけられるようになっている。（図１）
【００１９】
図示の例では、当接体３０は、筒軸線を前後方向に沿わせた筒状体３０１と、円板状の永久磁石３０２と、環状をなすクッション体３０３とを組み合わせて構成されている。筒状体３０１の筒前端はＩ字状をなす割溝３０１ａを中央に形成された板部３０１ｂによって塞がれている。この板部３０１ｂの外面が引き出し２ａの奥端部２ｂに突き当てられる当接面３０１ｃとして機能するようになっている。永久磁石３０２は筒状体３０１の開放された筒後端から一方の磁極面３０２ａを先にして板部３０１ｂにこの磁極面３０２ａを接しさせる位置までこの筒状体３０１内に入れ込まれており、この入れ込み状態はこの入れ込みの過程で一旦外向きに弾性変形してこの入れ込み切った位置での弾性復帰により永久磁石３０２の他方の磁極面３０２ｂに掛合される筒状体３０１の側部に形成された弾性掛合片３０１ｄによって維持されている。クッション体３０３は、筒状体３０１の当接面３０１ｃと側部との間の縁部に嵌めつけられており、このクッション体３０３によって当接面３０１ｃは縁取られている。クッション体３０３はゴム又はゴム状弾性を備えたプラスチックにより構成される。クッション体３０３にはその周回方向において隣り合う凸部３０３ａとの間に略等しい間隔を開けて当接面３０１ｃよりわずかに前方に突き出す複数の凸部３０３ａが設けられており、引き出し２ａの押し込みによるその奥端部２ｂと当接体３０との当接の衝撃音の発生をこのクッション体３０３により防止すると共に、永久磁石３０２の磁力により当接面３０１ｃと磁性材より構成される可動体２の被当接部２ｃとしての引き出し２ａの奥端部２ｂとが強固に吸着されすぎないようになっている。
【００２０】
ダンパー部材３１は、ダンパー可動部３１２を備えると共に、このダンパー可動部３１２の可動に制動力を付与するものである。
【００２１】
図示の例では、かかるダンパー部材３１は、図示しないピストンを可動体２の移動方向に沿う向きに可動されるダンパー可動部３１２として、このピストンを連係体３２に接続させたピストンダンパー３１１として構成されている。かかるピストンダンパー３１１は、前後方向に中心軸線を配したシリンダー３１１ａと、このシリンダー３１１ａ内に納められた図示しないピストンに接続されてシリンダー３１１ａの前端から前方に突き出すピストンロッド３１１ｂとを備えている。図示の例では、ケーシング３３の下側の空間３３４ｂに連通して取り付け面３３１側に開放されたピストンダンパー３１１のはめ込み用開放部３３６を利用して、シリンダー３１１ａを後方側に位置させた状態でピストンダンパー３１１をはめ込み、そのシリンダー３１１ａをケーシング３３に固定させるようになっている。ピストンロッド３１１ｂの突き出し端には、前後方向に長い板状をなすと共に、ピストンロッド３１１ｂの軸線に沿ったリブ３１１ｄを左右両側にそれぞれ備えたスライダ３１１ｃが取り付けられている。このスライダ３１１ｃはそのリブ３１１ｄを、ケーシング３３の取り付け面３３１側ではめ込み用開放部３３６におけるピストンロッド３１１ｂの入れ込み溝３３６ａにケーシング３３の内側から摺動可能に入れ込み、また、ケーシング３３の他面３３２側ではこの他面３３２側に形成された案内溝３３２ｂにケーシング３３の内側から摺動可能に入れ込んませており、ピストンの移動軸線に沿ってガタなくスライド移動されるようにケーシング３３に支持されている。かかるピストンダンパー３１１として、ピストンの押し込みにのみ抵抗が大きく作用されるものを用いれば、後述するように引き出し２ａが引き出されるときに磁力によりこれに追随して待機位置まで移動される当接体３０のこの移動が引き出し操作の妨げとならないようにすることができる。また、ピストンダンパー３１１にはピストンの押し込みが解かれたときにはこのピストンを押し込み前の位置まで復帰させるバネなどを内蔵させるようにしておいてもよい。ピストンに対しては、シリンダ内に封入された粘性流体やエアの作用により抵抗を付与させることができる。このための典型的な一つの方法としては、ピストンにオリフィスを設け、ピストンが押し込まれるときにこのオリフィスを通じてのみ粘性流体などが移動されるようにすることでピストンの移動に抵抗を付与することができる。図示の例とは別に、ケーシング３３にピストンロッド３１１ｂを固定させると共にシリンダー３１１ａをケーシング３３に固定させないようにし、当接体３０に可動体２の被当接部２ｃが当接されたときに連係体３２を通じてシリンダー３１１ａが後方に移動されて相対的にこのシリンダー３１１ａ内にピストンが押し込まれるようにしてあってもよい。
【００２２】
連係体３２は、その前端部３２２を左右に分岐させている。一対の分岐板３２２ａ、３２２ａの内面間には軸部３２２ｂが架設されている。一方、スライダ３１１ｃの上部にはケーシング３３の上側の空間３３４ａとケーシング３３の下側の空間３３４ｂとの連通部３３７から上方に突き出す突片３１１ｅが形成されていると共に、この突片３１１ｅには前記軸部３２２ｂを回動可能に嵌めつける凹部３１１ｆが形成されており、連係体３２はこの凹部３１１ｆに軸部３２２ｂを嵌めつけることで、その前端部３２２側でスライダ３１１ｃを介してダンパー部材３１に接続されている。
【００２３】
当接体３０の待機位置において、スライダ３１１ｃはもっとも前方に位置されピストンロッド３１１ｂはシリンダからもっとも突き出されている。（図１）当接体３０に引き出し２ａの奥端部２ｂが当接されて後方に移動されると連係体３２も後方に移動され、これに伴ってスライダ３１１ｃを介してピストンロッド３１１ｂはシリンダー３１１ａ内に押し込まれダンパー部材３１の制動力が引き出し２ａに作用される。（図２）押し込みきられた引き出し２ａが引き出されると、当接体３０は磁力により引き出し２ａの奥端部２ｂに吸着されていることから、当接体３０は待機位置まで強制的に移動され再び引き出し２ａが押し込まれるまで待機位置に位置づけられると共に、連係体３２も前方に移動されてピストンロッド３１１ｂはシリンダからもっとも突き出された状態に戻る。（図１）
【００２４】
この実施の形態にあっては、ダンパー部材３１と連係体３２とが、可動体２の移動方向ｘに直交する方向ｙにおいて、上下方向において並列状に配置されている。
【００２５】
具体的には、前記ケーシング３３により、ピストンダンパー３１１の上方に連係体３２が配置され、このように配置される連係体３２の後方への移動によりピストンダンパー３１１のピストンが押し込まれるようになっている。
【００２６】
これにより、この実施の形態にあっては、前後方向に移動される可動体２の側方に制動装置３を取り付けスペースを最小にして設置できるようになっている。（図３）
【００２７】
また、前記ケーシング３３には、可動体２の移動方向ｘに沿う向きに連係体３２の移動をガイドするガイド手段が備えられている。
【００２８】
図示の例では、連係体３２は、ケーシング３３の上側の空間３３４ａにおいて、取り付け面３３１を構成する板部３３１ａと他面３３２を構成する板部３３２ａとの間に納められている。また、連係体３２の後端部３２１に形成された突部３２１ａを前後方向に摺動可能に納める溝部３３８が当接体３０の開放部３３５の形成箇所において取り付け面３３１を構成する板部３３１ａの内面に形成されている。さらに、ケーシング３３の天部３３９には連係体３２の後端部３２１より上方に突き出す前後方向に長い突片３２１ｂを納める前後方向に長い割溝３３９ａが形成されている。
【００２９】
これにより図示の例では、当接体３０の移動によって連係体３２を可動体２の移動方向ｘに沿う向きに規則的に移動させてダンパー部材３１のダンパー可動部３１２を可動させることができる。
【００３０】
また、前記当接体３０の当接面３０１ｃの向き又は位置は、一定の範囲で可変できるようになっている。
【００３１】
図示の例では、連係体３２の前端部３２２はスライダ３１１ｃに対して左右方向に軸線を沿わせた軸部３２２ｂによって回動可能に組み合わされていると共に、前記溝部３３８の溝巾は突部３２１ａの上下寸法よりもやや広く、また、前記割溝３３９ａの溝巾もケーシング３３の後端側において前記突片３２１ｂの厚さよりもやや大きくなっている。これにより、図示の例では、連係体３２はその前端部３２２側を中心として後端部３２１側を上下にやや可動可能とされ当接体３０の当接面３０１ｃの鉛直線に対する角度を変えることが許容されていると共に、左右方向での当接面３０１ｃの位置を変えることが許容されている。
【００３２】
これにより図示の例では、被当接部２ｃへの当接体３０の突き当たり時に、この被当接部２ｃと当接体３０の当接面３０１ｃとが所期の向きで向き合わない場合でも、これを修正して両者が適切に吸着されるようにすることができる。
【００３３】
図示の例とは別に、当接体３０自体に当接面３０１ｃを前後方向に遊びを持って支持する構造を備えさせたり、連係体３２とスライダ３１１ｃとを前後方向に遊びを持って連結させ合わせることにより、当接面３０１ｃの前後方向の位置も一定の範囲で可変されるようにすることができる。
【図面の簡単な説明】
【００３４】
【図１】引き出し装置の要部側面構成図
【図２】引き出し装置の要部側面構成図
【図３】引き出し装置の要部正面構成図
【図４】制動装置３の側面図（取り付け面３３１側）
【図５】同平面図
【図６】図２におけるＡ部拡大図
【図７】図２におけるＢ−Ｂ線断面図
【図８】図２におけるＣ−Ｃ線断面図
【図９】図２におけるＤ−Ｄ線断面図
【図１０】図３におけるＥ−Ｅ線断面図
【符号の説明】
【００３５】
１  固定体
２  可動体
２ｃ  被当接部  
３  制動装置
３０  当接体
３１  ダンパー部材
３１２  ダンパー可動部
３２  連係体
【図１】
0005128212.tif 000002
【図２】
0005128212.tif 000003
【図３】
0005128212.tif 000004
【図４】
0005128212.tif 000005
【図５】
0005128212.tif 000006
【図６】
0005128212.tif 000007
【図７】
0005128212.tif 000008
【図８】
0005128212.tif 000009
【図９】
0005128212.tif 000010
【図１０】
0005128212.tif 000011